(57)【要約】【課題】狭い空間を利用して、擬似画像を近くから遠くまで表示する。【解決手段】左眼に入る左眼用画像と右眼に入る右眼用画像とを表示し、両画像を合わせて１つの擬似画像を表示するディスプレイ装置において、２つのディスプレイを使用して擬似画像を表示することにより、臨場感を出すことができる。【選択図】なし【特許請求の範囲】
【請求項１】
左眼に入る左眼用画像と右眼に入る右眼用画像とを表示し、両画像を合わせて１つの擬似画像を表示するディスプレイ装置であって、
２つのディスプレイを使用して、前記擬似画像を表示することを特徴とするディスプレイ装置。
【請求項２】
請求項１に記載のディスプレイ装置であって、
前記擬似画像を、観察者側から見て実際のディスプレイよりも遠くに連続した時間、認識されるように表示することを特徴とするディスプレイ装置。
【請求項３】
請求項１または２に記載のディスプレイ装置であって、
前記擬似画像を、観察者側から見て実際のディスプレイよりも遠くに常時、認識されるように表示することを特徴とするディスプレイ装置。
【請求項４】
請求項１〜３のいずれか１項に記載のディスプレイ装置であって、
前記２つのディスプレイは左右に配置され、前記左側に配置されたディスプレイに左眼用画像を表示し、前記右側に配置されたディスプレイに右眼用画像を表示することを特徴とするディスプレイ装置。
【請求項５】
請求項１〜４のいずれか１項に記載のディスプレイ装置であって、
前記２つのディスプレイの大きさが異なることを特徴とするディスプレイ装置。
【請求項６】
請求項５に記載のディスプレイ装置であって、
前記大きさが異なる２つのディスプレイのうち、小さい方のディスプレイにおいて、ディスプレイのほぼ全面に画像を表示し、大きい方のディスプレイにおいて、ディスプレイの一部に画像を表示することを特徴とするディスプレイ装置。
【請求項７】
請求項６に記載のディスプレイ装置であって、
前記大きい方のディスプレイにおいて、ディスプレイの一部に前記小さい方のディスプレイに表示する画像と同じ大きさの画像を表示することを特徴とするディスプレイ装置。
【請求項８】
請求項６または７に記載のディスプレイ装置であって、
前記大きい方のディスプレイにおいて、ディスプレイの一部に表示する画像は、表示位置が可変であることを特徴とするディスプレイ装置。
【請求項９】
請求項１〜８のいずれか１項に記載のディスプレイ装置であって、
前記２つのディスプレイに表示する画像の横方向の大きさは、それぞれ７０ｍｍ以下であることを特徴とするディスプレイ装置。
【請求項１０】
請求項１〜９のいずれか１項に記載のディスプレイ装置であって、
前記２つのディスプレイにそれぞれ表示する前記左眼用画像と前記右眼用画像の位置の横方向の差をＳＩとしたとき、
ＳＩ≦１００ｍｍ
であることを特徴とするディスプレイ装置。
【請求項１１】
請求項１〜１０のいずれか１項に記載のディスプレイ装置であって、
実際のディスプレイの表示が車両のウィンドシールドガラスに表示されるヘッドアップディスプレイ装置であり、
前記差ＳＩは、
１２ｍｍ≦ＳＩ≦１００ｍｍ
の範囲で可変であることを特徴とするディスプレイ装置。
【請求項１２】
請求項１〜１０のいずれか１項に記載のディスプレイ装置であって、
実際のディスプレイの表示が観察者に直視される直視型の車載用ディスプレイ装置であり、
前記差ＳＩは、
１２ｍｍ≦ＳＩ≦１００ｍｍ
の範囲で可変であることを特徴とするディスプレイ装置。
【請求項１３】
請求項１〜１０のいずれか１項に記載のディスプレイ装置であって、
主に手で持ちながら操作する装置に搭載されるディスプレイ装置であり、
前記差ＳＩは、
１１ｍｍ≦ＳＩ≦１００ｍｍ
の範囲で可変であることを特徴とするディスプレイ装置。
【請求項１４】
請求項１３に記載のディスプレイ装置であって、
撮影する対象物の距離の位置に前記擬似画像を表示することを特徴とするディスプレイ装置。
【請求項１５】
請求項１３または１４に記載のディスプレイ装置であって、
前記擬似画像の表示位置は、前記手で持ちながら操作する装置に備えられたオートフォーカスと連動して変動することを特徴とするディスプレイ装置。
【請求項１６】
請求項１０に記載のディスプレイ装置であって、
使用時に主に固定して使用する装置に搭載されるディスプレイ装置であり、
前記差ＳＩは、
１１ｍｍ≦ＳＩ≦１００ｍｍ
の範囲で可変であることを特徴とするディスプレイ装置。
【請求項１７】
請求項１〜１６のいずれか１項に記載のディスプレイ装置であって、
前記２つのディスプレイの前面にレンチキュラレンズが配置されることを特徴とするディスプレイ装置。
【請求項１８】
請求項１〜１６のいずれか１項に記載のディスプレイ装置であって、
前記２つのディスプレイの前面にパララックスバリアが配置されることを特徴とするディスプレイ装置。
【請求項１９】
請求項１〜１６のいずれか１項に記載のディスプレイ装置であって、
前記２つのディスプレイの前面にバリア液晶が配置されることを特徴とするディスプレイ装置。
【発明の詳細な説明】
【技術分野】
【０００１】
本発明は、左眼に入る左眼用画像と右眼に入る右眼用画像を異ならせるとともに、両画像を合わせて１つの擬似画像として認識させるディスプレイ装置に関する。
【背景技術】
【０００２】
従来より、ディスプレイ装置として、ブラウン管（ＣＲＴ）、液晶（ＬＣＤ）、有機ＥＬ（エレクトロルミネッセンス）、リアプロ（リアプロジェクション）、プラズマなど、各種のものが知られている。この中で、携帯用などの小型のディスプレイ装置としてはＬＣＤが広く普及しており、また有機ＥＬディスプレイも利用されつつある。
【０００３】
ここで、車両のウィンドシールドガラスに各種表示を行うヘッドアップディスプレイなどでは、表示位置をドライバーの視点に合わせてある程度前方に位置させることが求められており、ウィンドシールドガラスに投射するまでの光路長を長くして、これを達成している。
【０００４】
一方、ディスプレイ装置として、左眼に入る左眼用画像と右眼に入る右眼用画像を異ならせ、両画像を合わせることによって立体画像として認識させる３Ｄディスプレイ装置が特許文献１などに提案されている。このような３Ｄ表示のディスプレイ装置によれば、画面から飛び出した映像などが表示可能であって、臨場感ある映像を楽しむことができる。
【０００５】
【特許文献１】特許第３０９６６１３号公報
【発明の開示】
【発明が解決しようとする課題】
【０００６】
ここで、上述のように、ヘッドアップディスプレイでは、運転時の視点移動をできるだけ少なくするためにドライバーから見て遠くに映像を表示したいという要求があるが、このためにはウィンドシールドガラスまでの光路長を長くしなければならない。また、通常のディスプレイ装置においても、画像の見える位置を実際の表示装置と異ならせることが好適な場合もある。人間の目の間隔はおおよそ６．５ｃｍであり、最大、左眼用と右眼用の画像を６．５ｃｍ横方向にずらす必要がある。小型ディスプレイでこのようなディスプレイを実現しようとした場合、画像をずらせる量には限界があるので実現は困難となる。
【課題を解決するための手段】
【０００７】
本発明は、左眼に入る左眼用画像と右眼に入る右眼用画像とを表示し、両画像を合わせて１つの擬似画像を表示するディスプレイ装置であって、２つのディスプレイを使用して、前記擬似画像を表示する。
【０００８】
また、前記ディスプレイ装置において、前記擬似画像を、観察者側から見て実際のディスプレイよりも遠くに連続した時間、認識されるように表示することが好ましい。
【０００９】
また、前記ディスプレイ装置において、前記擬似画像を、観察者側から見て実際のディスプレイよりも遠くに常時、認識されるように表示することが好ましい。
【００１０】
また、前記ディスプレイ装置において、前記２つのディスプレイは左右に配置され、前記左側に配置されたディスプレイに左眼用画像を表示し、前記右側に配置されたディスプレイに右眼用画像を表示することが好ましい。
【００１１】
また、前記ディスプレイ装置において、前記２つのディスプレイの大きさが異なることが好ましい。
【００１２】
また、前記ディスプレイ装置における、前記大きさが異なる２つのディスプレイのうち、小さい方のディスプレイにおいて、ディスプレイのほぼ全面に画像を表示し、大きい方のディスプレイにおいて、ディスプレイの一部に画像を表示することが好ましい。
【００１３】
また、前記ディスプレイ装置の前記大きい方のディスプレイにおいて、ディスプレイの一部に前記小さい方のディスプレイに表示する画像と同じ大きさの画像を表示することが好ましい。
【００１４】
また、前記ディスプレイ装置の前記大きい方のディスプレイにおいて、ディスプレイの一部に表示する画像は、表示位置が可変であることが好ましい。
【００１５】
また、前記ディスプレイ装置において、前記２つのディスプレイに表示する画像の横方向の大きさは、それぞれ７０ｍｍ以下であることが好ましい。
【００１６】
また、前記ディスプレイ装置において、前記２つのディスプレイにそれぞれ表示する前記左眼用画像と前記右眼用画像の位置の横方向の差をＳＩとしたとき、
ＳＩ≦１００ｍｍ
であることが好ましい。
【００１７】
また、前記ディスプレイ装置において、実際のディスプレイの表示が車両のウィンドシールドガラスに表示されるヘッドアップディスプレイ装置であり、前記差ＳＩは、
１２ｍｍ≦ＳＩ≦１００ｍｍ
の範囲で可変であることが好ましい。
【００１８】
また、前記ディスプレイ装置において、実際のディスプレイの表示が観察者に直視される直視型の車載用ディスプレイ装置であり、前記差ＳＩは、
１２ｍｍ≦ＳＩ≦１００ｍｍ
の範囲で可変であることが好ましい。
【００１９】
また、前記ディスプレイ装置において、主に手で持ちながら操作する装置に搭載されるディスプレイ装置であり、前記差ＳＩは、
１１ｍｍ≦ＳＩ≦１００ｍｍ
の範囲で可変であることが好ましい。
【００２０】
また、前記ディスプレイ装置において、撮影する対象物の距離の位置に前記擬似画像を表示することが好ましい。
【００２１】
また、前記ディスプレイ装置において、前記擬似画像の表示位置は、前記手で持ちながら操作する装置に備えられたオートフォーカスと連動して変動することが好ましい。
【００２２】
また、前記ディスプレイ装置において、使用時に主に固定して使用する装置に搭載されるディスプレイ装置であり、前記差ＳＩは、
１１ｍｍ≦ＳＩ≦１００ｍｍ
の範囲で可変であることが好ましい。
【００２３】
また、前記ディスプレイ装置において、前記２つのディスプレイの前面にレンチキュラレンズが配置されることが好ましい。
【００２４】
また、前記ディスプレイ装置において、前記２つのディスプレイの前面にパララックスバリアが配置されることが好ましい。
【００２５】
また、前記ディスプレイ装置において、前記２つのディスプレイの前面にバリア液晶が配置されることが好ましい。
【発明の効果】
【００２６】
このように、本発明では、左眼に入る左眼用画像と右眼に入る右眼用画像とを表示し、両画像を合わせて１つの擬似画像を表示することで、画像を認識させる位置を実際の表示位置と異なるものにすることができる。そして、このようなディスプレイ装置において、２つのディスプレイを使用して擬似画像を表示することにより、臨場感を出すことができる。また、画像をずらす量を大きくできない小型ディスプレイにおいても実現することが可能となる。
【発明を実施するための最良の形態】
【００２７】
以下、本発明の実施形態に係るディスプレイ装置について、図面に基づいて説明する。
【００２８】
図１は、本実施形態の表示原理を説明する概念的構成図である。ディスプレイ装置１０には、映像信号に応じた映像が表示される。この例では、ディスプレイ装置１０は、液晶ディスプレイ（ＬＣＤ）であり、画素毎の画像信号からなる映像信号をマトリクス状に配置された画素毎に表示する。また、各画素はＲＧＢまたはＲＧＢＷ等の画素からなり、液晶への電圧印加を画素毎に制御して表示が行われる。
【００２９】
このディスプレイ装置１０では、基本的に２Ｄ表示が行われるが、観察者１４が認識する映像の位置をディスプレイ装置１０の位置ではなく、より遠い位置にある擬似画像１２の位置に制御する。通常の３Ｄ表示では、飛び出す映像がメインで、擬似的表示位置を部分的に随時変化させることで臨場感を得るが、本実施形態では２Ｄの擬似画像１２を実際のディスプレイ装置１０の位置より遠い位置に認識させることを目的とする。
【００３０】
次に、上記目的を実現するための原理について説明する。本実施形態において、ディスプレイ装置１０には、図２に示すように２つのディスプレイ、すなわち第１ディスプレイ１６と第２ディスプレイ１８とが左右に位置するように配置され、左側に配置された第１ディスプレイ１６には左眼に入る左眼用画像が、右側に配置された第２ディスプレイ１８には右眼に入る右眼用画像が表示される。すなわち、第１ディスプレイ１６には左眼用画像が表示され、その画像は観察者１４の左眼に供給され、第２ディスプレイ１８には右眼用画像が表示され、その画像は観察者１４の右眼に供給される。従って、第１ディスプレイ１６によって形成される左眼用画像が観察者１４の左眼で認識され、第２ディスプレイ１８によって形成される右眼用画像が観察者１４の右眼で認識される。そして、図１のように、左眼用画像と右眼用画像とを合わせて観察者１４に認識される擬似画像１２の位置を全体としてディスプレイ装置１０の位置より遠い位置に設定してある。本実施形態では、２つのディスプレイを使用して擬似画像を表示することにより、臨場感を出すことができる。なお、ここでは１つのディスプレイ装置１０に２つのディスプレイが配置されている例について説明したが、それぞれディスプレイを有する別個のディスプレイ装置を使用してもよい。
【００３１】
人間の距離の認識は輻輳角に大きく依存しており、輻輳角が小さいほど遠くに認識される。本発明では、図１に示す、左眼用画像と右眼用画像によって形成される擬似画像１２の位置のある特定の点Ａ’と、観察者１４の左の眼の中心Ｂと、右の眼の中心Ｃとのなす角度（輻輳角）ＢＡ’Ｃが、実際のディスプレイ装置１０上の点Ａについての輻輳角ＢＡＣに比べ、小さくなるように左眼用画像と右眼用画像を作成することで実現できる。このような左右眼用画像の作成は、画像は同じで、右眼用画像、左眼用画像、各々の位置をずらして異なるディスプレイに表示するだけでよいので、通常の３Ｄ画像を作成するのに比べ、非常に簡単に行うことができる。
【００３２】
このように、本実施形態では、輻輳角ＢＡ’Ｃが輻輳角ＢＡＣよりも常時小さい。従って、狭い空間を利用して、画像をより遠くに認識させることができる。例えば、車両のヘッドアップディスプレイシステムにおいては、ウィンドシールドガラスに表示する画像をドライバーから見て遠くの位置とするために、ウィンドシールドガラスに至るまでの映像の経路をミラーなどを用いて長くしているが、本実施形態によれば経路を短くしても、投射される擬似画像を遠くに認識させることができ、画像を遠くにした場合とほとんど同じ効果を得ることができる。
【００３３】
また、図１に示すように、擬似画像１２は、ディスプレイ装置１０を介して後方に位置する。従って、ディスプレイ装置１０を窓として表示されることになり、図に示したように擬似画像１２はディスプレイ装置１０より大きく認識される。このため、大画面を小さいディスプレイで擬似的に得ることができる。さらに、携帯電話のような小さな画面を手に持ったような状態でも、比較的遠くに大きな画面として認識させることができ、近くにある画像や小さい画像が見にくい遠視や老眼の人にとって見やすい画像とすることができる。
【００３４】
図３には、本実施形態に係るディスプレイ装置１０を人間が見ている様子を示してある。２つのディスプレイに表示された左眼用画像２０及び右眼用画像２２は観察者１４に１２の位置に認識されるように表示される。
【００３５】
また、本実施形態において、図４（ａ）に示すように第１ディスプレイ１６と第２ディスプレイ１８との横方向の大きさが異なっていてもよい。図４（ａ）では第１ディスプレイ１６の横方向の大きさが第２ディスプレイ１８の横方向の大きさより大きいものとなっている。このとき、大きさが異なる２つのディスプレイのうち、小さい方の第２ディスプレイ１８において、ディスプレイのほぼ全面に画像を表示し、大きい方の第１ディスプレイ１６において、ディスプレイの一部に画像を表示することが好ましく、また、大きい方の第１ディスプレイ１６においてディスプレイの一部に、小さい方の第２ディスプレイ１８に表示する画像と同じ大きさの画像を表示することが好ましい。さらに、大きい方の第１ディスプレイ１６において、ディスプレイの一部に表示する画像は、表示位置が可変であることが好ましい。これにより、擬似画像１２を遠くに認識させたい時は、図４（ｂ）のように第１ディスプレイ１６に表示する左眼用画像２０と第２ディスプレイ１８に表示する右眼用画像２２との表示位置のずれ幅ＳＩを大きくし、擬似画像１２を近くに認識させたい時は、図４（ｃ）のように第１ディスプレイ１６に表示する左眼用画像２０と第２ディスプレイ１８に表示する右眼用画像２２との表示位置のずれ幅ＳＩを小さくすればよい。なお、図４（ａ）〜（ｃ）では第１ディスプレイ１６の大きさが第２ディスプレイ１８より大きい例を示しているが、もちろん逆であってもよい。
【００３６】
また、本実施形態において、図５（ａ）に示すように第１ディスプレイ１６と第２ディスプレイ１８との横方向及び縦方向の大きさが異なっていてもよい。図５（ａ）では第１ディスプレイ１６の横方向及び縦方向の大きさが第２ディスプレイ１８の大きさより大きいものとなっている。このとき、大きさが異なる２つのディスプレイのうち、小さい方の第２ディスプレイ１８において、ディスプレイのほぼ全面に画像を表示し、大きい方の第１ディスプレイ１６において、ディスプレイの一部に画像を表示することが好ましい。また、大きい方の第１ディスプレイ１６においてディスプレイの一部に、小さい方の第２ディスプレイ１８に表示する画像と同じ大きさの画像を表示することが好ましい。さらに、大きい方の第１ディスプレイ１６において、ディスプレイの一部に表示する画像は、表示位置が可変であることが好ましい。これにより、擬似画像１２を遠くに認識させたい時は、図５（ｂ）のように第１ディスプレイ１６に表示する左眼用画像２０と第２ディスプレイ１８に表示する右眼用画像２２との表示位置のずれ幅ＳＩを大きくし、擬似画像１２を近くに認識させたい時は、図５（ｃ）のように第１ディスプレイ１６に表示する左眼用画像２０と第２ディスプレイ１８に表示する右眼用画像２２との表示位置のずれ幅ＳＩを小さくすればよい。さらに、第１ディスプレイ１６及び第２ディスプレイ１８の両方を使用せずに、大きい方の第１ディスプレイ１６に通常の画像を表示してもよい。これにより通常の画像を大きく表示することができる。なお、図５（ａ）〜（ｃ）では第１ディスプレイ１６の大きさが第２ディスプレイ１８より大きい例を示しているが、もちろん逆であってもよい。
【００３７】
また、図６に示すように、観察者１４の眼から実際のディスプレイ装置１０までの距離をＥＩ、ディスプレイ装置１０から擬似画像１２までの距離をＩＶ、観察者１４の眼から擬似画像１２までの距離をＥＶ、ディスプレイ装置１０の第１ディスプレイ１６における左眼用画像２０と、第２ディスプレイ１８における右眼用画像２２との表示位置のずれ幅をＳＩ、人間の左右の眼の間隔をｃとしたとき、
ＳＩ＝（ｃ×ＩＶ）／ＥＶ      （１）
ＥＶ＝ＥＩ＋ＩＶ                （２）
となる。ここで、ＳＩ≦１００ｍｍであることが好ましい。
【００３８】
本実施形態に係るディスプレイ装置が、実際のディスプレイの表示が車両のウィンドシールドガラスに表示される、車両のヘッドアップディスプレイとして使用される場合、上記差ＳＩは、
１２ｍｍ≦ＳＩ≦１００ｍｍ
の範囲で可変であることが好ましい。ただし、この場合、ＳＩの下限は１２ｍｍまたはディスプレイの横方向の大きさのいずれか小さい方となる。
【００３９】
これは、ヘッドアップディスプレイの場合、ＥＩ＝５００ｍｍ〜２０００ｍｍ、ＩＶ＝３０００ｍｍ〜無限遠、観察者の左右の眼の間隔ｃ＝２０ｍｍ〜１００ｍｍとしたときに、上記式（１），（２）よりＳＩ＝１２ｍｍ〜１００ｍｍとして求まる。また、ｃは６０ｍｍ〜７０ｍｍの範囲がより好ましいが、このときＳＩ＝３６ｍｍ〜７０ｍｍとなる。ただし、この場合、ＳＩの下限は１２ｍｍまたはディスプレイの横方向の大きさのいずれか小さい方となる。
【００４０】
また、本実施形態に係るディスプレイ装置が、実際のディスプレイの表示が観察者に直視される、車載用ＬＣＤ等の直視型車載用ディスプレイとして使用される場合、上記差ＳＩは、
１２ｍｍ≦ＳＩ≦１００ｍｍ
の範囲で可変であることが好ましい。ただし、この場合、ＳＩの下限は１２ｍｍまたはディスプレイの横方向の大きさのいずれか小さい方となる。
【００４１】
これは、直視型車載用ディスプレイの場合、ＥＩ＝５００ｍｍ〜１０００ｍｍ、ＩＶ＝１５００ｍｍ〜無限遠、観察者の左右の眼の間隔ｃ＝２０ｍｍ〜１００ｍｍとしたときに、上記式（１），（２）よりＳＩ＝１２ｍｍ〜１００ｍｍとして求まる。また、ｃは６０ｍｍ〜７０ｍｍの範囲がより好ましいが、このときＳＩ＝３６ｍｍ〜７０ｍｍとなる。ただし、この場合、ＳＩの下限は１２ｍｍまたはディスプレイの横方向の大きさのいずれか小さい方となる。
【００４２】
また、本実施形態に係るディスプレイ装置が、携帯電話、デジタルスチルカメラ（ＤＳＣ）、デジタルビデオカメラ（ＤＶＣ）等の主に手で持ちながら操作するタイプの装置に搭載されるディスプレイとして使用される場合、上記差ＳＩは、
１１ｍｍ≦ＳＩ≦１００ｍｍ
の範囲で可変であることが好ましい。ただし、この場合、ＳＩの下限は１１ｍｍまたはディスプレイの横方向の大きさのいずれか小さい方となる。
【００４３】
これは、このタイプのディスプレイの場合、ＥＩ＝１００ｍｍ〜８００ｍｍ、ＩＶ＝１０００ｍｍ〜無限遠、観察者の左右の眼の間隔ｃ＝２０ｍｍ〜１００ｍｍとしたときに、上記式（１），（２）よりＳＩ＝１１ｍｍ〜１００ｍｍとして求まる。また、ｃは６０ｍｍ〜７０ｍｍの範囲がより好ましいが、このときＳＩ＝３３ｍｍ〜７０ｍｍとなる。ただし、この場合、ＳＩの下限は１１ｍｍまたはディスプレイの横方向の大きさのいずれか小さい方となる。
【００４４】
また、デジタルスチルカメラ（ＤＳＣ）、デジタルビデオカメラ（ＤＶＣ）等に搭載されるディスプレイとして使用される場合、撮影者が撮影する対象物の距離の位置あるいはその近傍に擬似画像を認識させることが好ましい。これにより、撮影対象物とディスプレイを交互に見る必要がなく、ディスプレイに視点を移した時に、撮影対象物を見失うといったことがなくなり、より精度の良い撮影が可能となる。
【００４５】
さらに、擬似画像の表示位置はデジタルスチルカメラ（ＤＳＣ）、デジタルビデオカメラ（ＤＶＣ）等の装置に備えられたオートフォーカスと連動して変動することが好ましい。これにより、常に撮影対象物の位置に擬似画像を認識させることができ、精度の良い撮影が可能となる。
【００４６】
また、本実施形態に係るディスプレイ装置が、デスクトップパソコン、ノートパソコン、ポータブルＤＶＤプレーヤ等の使用時に主に固定して使用するタイプのパーソナル機器に搭載されるディスプレイとして使用される場合、上記差ＳＩは、
１１ｍｍ≦ＳＩ≦１００ｍｍ
の範囲で可変であることが好ましい。ただし、この場合、ＳＩの下限は１１ｍｍまたはディスプレイの横方向の大きさのいずれか小さい方となる。
【００４７】
これは、パーソナル機器に搭載されるディスプレイの場合、ＥＩ＝３００ｍｍ〜８００ｍｍ、ＩＶ＝１０００ｍｍ〜無限遠、観察者の左右の眼の間隔ｃ＝２０ｍｍ〜１００ｍｍとしたときに、上記式（１），（２）よりＳＩ＝１１ｍｍ〜１００ｍｍとして求まる。また、ｃは６０ｍｍ〜７０ｍｍの範囲がより好ましいが、このときＳＩ＝３３ｍｍ〜７０ｍｍとなる。ただし、この場合、ＳＩの下限は１１ｍｍまたはディスプレイの横方向の大きさのいずれか小さい方となる。
【００４８】
ここで、左眼用画像と、右眼用画像の形成について、簡単に説明する。観察者が特殊な眼鏡をかけ、左眼用画像については左眼、右眼用画像については右眼のみで見られるようにするものが知られている。特殊な眼鏡としては、高速のシャッターがついたものがあり、表示とシャッターが同期することで、左右画像を別々に見ることができる。また、特殊な眼鏡を必要とせずに左右画像を別々に表示するものとして、パララックスバリア方式のものがある。これは、パララックスバリアによって、観察者の左右視点からそれぞれ左眼用画像または右眼用画像のいずれかのみが見えるようにするものである。本実施形態においては、２つのディスプレイの前面にパララックスバリアを配置してもよいし、２つのディスプレイの前面にバリア液晶を配置してもよい。
【００４９】
さらに、上記特許文献１では、パララックスバリアと同様の原理を用いながら、表示部における右眼用画像及び左眼用画像の画素の配列を千鳥状（チェッカーフラッグ状）とし、表示部の前面に配置するフィルタも画素に対応して開口部が千鳥状に位置するものとする。なお、フィルタは、右眼からは右眼用画素、左眼からは左眼用画素が見えるようにする。これによって、水平方向の画素列数の減少を防止して不要な縦縞の発生を防止できる。しかしながら、この方式では上下方向の見える範囲が制限されるという問題点がある。上下方向の見える範囲を広げるためにはストライプ配置されたパララックスバリアの使用が好ましい。また、本実施形態では、右眼用画素及び左眼用画素をそれぞれ異なるディスプレイに表示しているため、１つのディスプレイに右眼用画素及び左眼用画素を表示する場合に比べて解像度を向上させることができる。
【００５０】
本実施形態においては、この特許文献１に記載されている立体表示方法を利用して、表示における輻輳角を制御する。また、特開平８−１９４２７３号公報に記載されているような、指向性の光源を使用するレンチキュラ方式を利用してもよい。すなわち、２つのディスプレイの前面にレンチキュラレンズを配置してもよい。
【００５１】
また、車両のヘッドアップディスプレイシステムに本実施形態のディスプレイ装置を用いることも好適である。
【００５２】
図７（ａ）に示すように、車両のウィンドシールドガラス２４の手前に本実施形態のディスプレイ装置１０を設置する。例えば、ダッシュボードの上や中など比較的ウィンドシールドガラス２４に近い位置でよい。そして、このディスプレイ装置１０の第１ディスプレイ１６及び第２ディスプレイ１８に上述したように左眼用画像および右眼用画像を表示する。これによって、ディスプレイ装置１０の虚像２６がウィンドシールドガラス２４の観察者側から見て後方に表示されるが、この虚像２６はディスプレイ装置１０の表示と実質的に同じである。従って、車室内にいる観察者（通常はドライバー）は、虚像２６において、左眼用画像と右眼用画像を左眼、右眼でそれぞれ見ることになり、従って擬似画像２８はそれら画像で決定されるさらに遠い位置に認識されることになる。
【００５３】
このように、本実施形態によれば、車両のウィンドシールドガラス２４に投射するまでの距離を短くしても、元々の虚像２６が右眼用と左眼用の別々の画像で形成されており、従って認識される擬似画像２８の位置は、さらに遠くなる。そこで、ディスプレイ装置１０をウィンドシールドガラス２４の近くに配置することが可能になり、その配置場所の自由度が上昇する。また、図７（ｂ）に示すように画像を凹面鏡３０に反射させることでウィンドシールドガラスに投影される画像を拡大することが可能になる。
【００５４】
なお、ディスプレイ装置１０としては、液晶ディスプレイ装置が好適であるが、有機ＥＬディスプレイ装置や、ＣＲＴ、リアプロジェクタ、プラズマディスプレイ装置など従来から知られているどのようなディスプレイ装置でも利用することができる。
【００５５】
また、擬似画像の位置を基本的にディスプレイ装置１０の位置より遠い位置としておき、その前提の上で、３Ｄ画像の表示にしてもよい。
【図面の簡単な説明】
【００５６】
【図１】本発明の実施形態の原理を説明する図である。
【図２】本発明の実施形態に係るディスプレイ装置の一例の概略を示す図である。
【図３】本発明の実施形態に係るディスプレイ装置を人間が見ている様子を示す図である。
【図４】本発明の実施形態に係るディスプレイ装置の他の例の概略を示す図である。
【図５】本発明の実施形態に係るディスプレイ装置の他の例の概略を示す図である。
【図６】本発明の実施形態の原理を説明する図である。
【図７】ヘッドアップディスプレイシステムに適応した場合の構成を示す図である。
【符号の説明】
【００５７】
１０  ディスプレイ装置、１２，２８  擬似画像、１４  観察者、１６  第１ディスプレイ、１８  第２ディスプレイ、２０  左眼用画像、２２  右眼用画像、２４  ウィンドシールドガラス、２６  虚像、３０  凹面鏡。
【図１】
2007201716.tif 000002
【図２】
2007201716.tif 000003
【図３】
2007201716.tif 000004
【図４】
2007201716.tif 000005
【図５】
2007201716.tif 000006
【図６】
2007201716.tif 000007
【図７】
2007201716.tif 000008